【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
内部に挿入方向に挿入される対応するプラグ電気コネクタを受容するように構成されたソケット電気コネクタの第１のハウジングのための第１のコード化構造を形成する方法であって、
前記第１のコード化構造を形成するために、第１の係合領域として前記第１のハウジングの内壁の一部を選択する工程と、
前記第１の係合領域を、Ｎが２よりも大きい整数である２行Ｎ列の２×Ｎ個の第１の係合小領域に分割する工程と、
前記２×Ｎ個の第１の係合小領域から、Ｎよりも小さい整数であるＭ個の第１の係合小領域を選択する工程と、
前記第１のハウジングの前記内壁から内側に突出してかつ前記挿入方向に延在する第１の突起として、前記Ｍ個の第１の係合小領域を形成し、かつ残りの（２×Ｎ−Ｍ）個の第１の係合小領域に第１の通路を形成する工程と、
を含むことを特徴とする方法。
【請求項２】
前記第１の係合小領域が、長方形の断面または正方形の断面を備えた立方体形状を有することを特徴とする請求項１に記載の方法。
【請求項３】
前記Ｍ個の第１の係合小領域の各々が、直接接続領域と間接接続領域とを含み、該直接接続領域の少なくとも１つの側面が、前記第１のハウジングの前記内壁と一体化して形成され、前記間接接続領域の少なくとも１つの側面が、前記直接接続領域および/または別の間接接続領域の少なくとも１つの側面と一体化して形成されることを特徴とする請求項１に記載の方法。
【請求項４】
前記第１の係合小領域の各々の側面の長さが、１．５ｍｍよりも大きいことを特徴とする請求項１に記載の方法。
【請求項５】
Ｎが３に等しく、Ｍが２に等しいことを特徴とする請求項１に記載の方法。
【請求項６】
第１の行における３個の第１の係合小領域が、それぞれ、１番目、２番目および３番目と番号付けられ、第２の行における他の３個の第１の係合小領域が、それぞれ、４番目、５番目および６番目と番号付けられ、
４番目と番号付けられた前記第１の係合小領域が、１番目と番号付けられた前記第１の係合小領域に隣接し、
前記Ｍ個の第１の係合小領域が、前記第１の係合領域において、１番目と２番目、１番目と３番目、１番目と４番目、１番目と６番目、２番目と３番目、２番目と５番目、３番目と４番目、３番目と６番目、４番目と５番目、４番目と６番目または５番目と６番目の第１の係合小領域を含むことを特徴とする請求項５に記載の方法。
【請求項７】
Ｎが４に等しく、Ｍが２または３に等しいことを特徴とする請求項１に記載の方法。
【請求項８】
プラグ電気コネクタの第２のハウジングのための第２のコード化構造を形成する方法であって、該第２のコード化構造が、前記プラグ電気コネクタを前記ソケット電気コネクタ内に前記挿入方向に挿入する請求項１に記載の方法に従って構成された前記第１のコード化構造に適合するように構成され、
前記第２のコード化構造を形成するために第２の係合領域として前記プラグ電気コネクタの前記第２のハウジングの外壁の一部を選択する工程と、
前記第２の係合領域に第２の通路と第２の突起とを形成する工程と、
を含み、
前記第２の通路が、前記第１の突起に形状が適合し、かつ前記第２の突起が、前記第１の通路に形状が適合することを特徴とする方法。
【請求項９】
対応するソケット電気コネクタを挿入方向に挿入するように適合されたプラグ電気コネクタの第１のハウジングのためのコード化構造を形成する方法であって、
前記第１のコード化構造を形成するために、第１の係合領域として前記第１のハウジングの外壁の一部を選択する工程と、
前記第１の係合領域を、Ｎが２よりも大きい整数である２行Ｎ列の２×Ｎ個の第１の係合小領域に分割する工程と、
前記２×Ｎ個の第１の係合小領域から、Ｎよりも小さい整数であるＭ個の第１の係合小領域を選択する工程と、
前記第１のハウジングの前記外壁から外側に突出してかつ前記挿入方向に延在する第１の突起として、前記Ｍ個の第１の係合小領域を形成し、かつ残りの（２×Ｎ−Ｍ）個の第１の係合小領域に第１の通路を形成する工程と、
を含むことを特徴とする方法。
【請求項１０】
前記第１の係合小領域の各々が、長方形の断面または正方形の断面を備えた立方体形状であることを特徴とする請求項９の方法。
【請求項１１】
前記Ｍ個の第１の係合小領域の各々が、直接接続領域と間接接続領域とを含み、該直接接続領域の少なくとも１つの側面が、前記第１のハウジングの前記外壁と一体化して形成され、前記間接接続領域の少なくとも１つの側面が、前記直接接続領域および/または別の間接接続領域の少なくとも１つの側面と一体化して形成されることを特徴とする請求項１０に記載の方法。
【請求項１２】
前記第１の係合小領域の各々の側面の長さが、１．５ｍｍよりも大きいことを特徴とする請求項１０に記載の方法。
【請求項１３】
ソケット電気コネクタの第２のハウジングのための第２のコード化構造を形成する方法であって、前記第２のコード化構造が、前記プラグ電気コネクタが前記ソケット電気コネクタに前記挿入方向に挿入される請求項９に記載の方法に従って構成された前記第１のコード化構造に適合するように構成され、
前記第２のコード化構造を形成するために、第２の係合領域として前記ソケット電気コネクタの前記第２のハウジングの内壁の一部を選択する工程と、
前記第２の係合領域に第２の通路と第２の突起とを形成する工程と、
を含み、前記第２の通路が、前記第１の突起に形状が適合し、前記第２の突起が、前記第１の通路に形状が適合することを特徴とする方法。
【請求項１４】
適合する電気コネクタに挿入方向に接続するように構成された電気コネクタであって、
ハウジング壁を有するコネクタハウジングと、
前記ハウジング壁に形成され、その間に係合領域を形成する互いに離れた一組のコード化支持体であって、該係合領域が、Ｎが２よりも大きい整数である２行Ｎ列の２×Ｎ個の第１の係合小領域を有する一組のコード化支持体と、
前記２×Ｎ個の第１の係合小領域内のＮよりも小さい整数であるＭ個の係合小領域に突起と、残りの（２×Ｎ−Ｍ）個の係合小領域に通路と、を含むコード化構造と、
を含み、前記突起が前記コネクタハウジングのハウジング壁から突出してかつ前記挿入方向に延在することを特徴とする電気コネクタ。
【請求項１５】
Ｎが３に等しく、Ｍが２に等しいことを特徴とする請求項１４に記載の電気コネクタ。
【請求項１６】
前記コード化構造が、以下の組の係合小領域、１番目と５番目、２番目と４番目、３番目と５番目および２番目と６番目の１つを除いた前記係合領域に形成された複数の突起を含むことを特徴とする請求項１５に記載の電気コネクタ。
【請求項１７】
前記コード化構造が、前記係合領域における前記以下の組の係合小領域、１番目と２番目、１番目と３番目、１番目と４番目、１番目と６番目、２番目と３番目、２番目と５番目、３番目と４番目、３番目と６番目、４番目と５番目、４番目と６番目または５番目と６番目の１つに形成された２つの突起を含むことを特徴とする請求項１５に記載の電気コネクタ。
【請求項１８】
Ｎが４に等しく、Ｍが２または３に等しいことを特徴とする請求項１４に記載の電気コネクタ。
【請求項１９】
前記Ｍ個の係合小領域の各々が、直接接続領域と間接接続領域とを含み、該直接接続領域の少なくとも１つの側面が、前記ハウジング壁と一体化して形成され、前記間接接続領域の少なくとも１つの側面が、前記直接接続領域および/または別の間接接続領域の少なくとも１つと一体化して形成されることを特徴とする請求項１４に記載の電気コネクタ。
【請求項２０】
前記係合小領域の各々の側面の長さが、１．５ｍｍよりも大きいことを特徴とする請求項１４に記載の電気コネクタ。
【手続補正２】
【補正対象書類名】明細書
【補正対象項目名】００２２
【補正方法】変更
【補正の内容】
【００２２】
本願発明のもう１つの態様によれば、電気コネクタは、適合する電気コネクタに挿入方向に接続するように提供および構成される。電気コネクタは、ハウジング壁を有するコネクタハウジングを含む。一組のコード化支持体が、ハウジング壁に形成され、かつその間に係合領域を形成するように互いに間隔が空けられる。１つの例では、係合領域は、Ｎが２よりも大きい整数である２行Ｎ列の２×Ｎ個の係合小領域を有する。電気コネクタは、２×Ｎ個の第１の係合小領域内において、Ｍ個（ＭはＮより小さい整数である）の係合小領域に突起と、残りの（２×Ｎ−Ｍ）個の係合小領域に通路とを含む。該突起は、コネクタハウジングのハウジング壁から突出してかつ挿入方向に延在するように構成される。
【手続補正３】
【補正対象書類名】明細書
【補正対象項目名】００３７
【補正方法】変更
【補正の内容】
【００３７】
第１のコード化構造が上記の構成方法を用いて構成された後、成形品が、第１の突起と第１の通路とに対応する構造を備える限り、第１のハウジング１は、従来の成形法を用いて製造できる。第１のコード化構造の第１の突起と第１のハウジング１の内壁とが、同じプラスティック材料（例えば、ポリウレタン、ポリエチレン、ポリプロピレン）により一体化して形成される。同様に、第２のコード化構造が、従来の形成法を用いて製造できる。